(57)【特許請求の範囲】
【請求項１】
アナログの入力データをデジタル値に変換して操作パネルに取付けられた表示器に表示するデータ表示出力手段と、前記入力データが許容範囲を外れたとき警報を出力する警報出力手段とを有するデジタルパネルメータにおいて、
前記操作パネルにおける前記表示器の近傍に取付けられた第１の押しボタン及び第２の押しボタンと、
前記入力データの測定範囲の上限値と下限値、及び前記入力データの前記許容範囲の上限値と下限値を記憶する領域が形成された設定値テーブルと、
前記第１の押しボタンのダブルクリック操作に応じて、前記各上限値及び各下限値の前記設定値テーブルに対する設定動作中であるか否かが切換え設定される設定中フラグと、
この設定中フラグが設定動作中であると設定された状態における第１の押しボタンにおける押しボタン操作に応じて、前記設定値テーブルの各領域に記憶する各上限値及び各下限値の各項目を順次指定する項目指定手段と、
この項目指定手段で一つの項目が指定された状態における第２の押しボタンにおける押しボタン操作に基づいて該当項目の上限値又は下限値を特定し、この特定された上限値又は下限値を前記設定値テーブルの該当項目の領域に設定する値設定手段と、
前記設定中フラグが設定動作中でないと設定された状態における第１の押しボタンにおける押しボタン操作に応じて、前記設定値テーブルの各領域に記憶された各下限値及び各上限値を前記表示器に順次表示出力する設定値表示手段と
を備えたデジタルパネルメータ。
【請求項２】
前記警報出力手段は、前記入力データが前記許容範囲の上限値を越えたとき及び前記許容範囲の下限値を下回ったとき前記入力データを前記表示器上でフリッカ表示し、
前記設定値表示手段は、前記各下限値及び各上限値を前記表示器上でフリッカ表示する
ことを特徴とする請求項１記載のデジタルパネルメータ。
【発明の詳細な説明】
【０００１】
【発明の属する技術分野】
本発明はアナログの入力データをデジタル値に変換して操作パネルに取付けられた表示器に表示するとともに入力データが許容範囲を外れると警報を出力するデジタルパネルメータに関する。
【０００２】
【従来の技術】
各種工場やビル施設や上下水道施設等の各種プラントの動作を監視制御する中央監視室内には、前記プラント内に設置された各種機器の動作状態を計測する計測装置からのアナログの入力データをデジタル値に変換して表示するデジタルパネルメータが設けられている。
【０００３】
この中央監視室で監視する必要のある入力データの数は非常に多いので、前記デジタルパネルメータは中央監視室の制御盤（コンソールパネル）に所狭しと嵌込み固定されている。したがって、各デジタルパネルメータのコンソールパネル面に露出している操作パネルはできるだけ面積が小さい方が好ましい。
【０００４】
また、監視対象の機器の動作状態の異常を監視するために、入力データの数値のみならず、入力データが予め設定された許容範囲を外れると警報を出力するようにしている。そして、この許容範囲は、監視対象の機器毎にそれぞれ異なる値を有しているので、このデジタルパネルメータをコンソールパネルに取付けた後においても、前面の操作パネル上で任意に設定変更できることが必要である。
【０００５】
図１１は上述した機能を有したデジタルパネルメータの概略構成を示すブロック図であり、図１２はこのデジタルパネルメータにおける前面の操作パネルを示す図である。
【０００６】
図１１において、監視対称機器の計測装置から入力された例えば４〜２０ｍＡの直流アナログの入力信号は入力回路１へ入力された後、スケール変換回路２でスケーリング変換され、新たな入力データＤとしてＡ／Ｄ変換回路３でデジタル値に変換される。Ａ／Ｄ変換回路３から出力されたデジタルの入力データＤは図１２の前面の操作パネル４に組込まれた例えばＬＥＤ等からなる表示器５に表示出力される。
【０００７】
また、Ａ／Ｄ変換回路３から出力されたデジタルの入力データＤは比較判定回路６へ入力される。この比較判定回路６には、前記操作パネル４に組込まれた各デジタルスイッチ７，８から許容範囲の上限値ＰＤＨ  及び下限値ＰＤＬ  が入力される。比較判定回路６は入力データＤと上限値ＰＤＨ  及び下限値ＰＤＬ  とを比較して、入力データＤが上限値ＰＤＨ  を越えると上限警報ＡＲＨ  を出力し、入力データＤが下限値ＰＤＬ  を下回ると下限警報ＡＲＬ  を出力する。
【０００８】
前記各デジタルスイッチ７，８はデジタルパネルメータの前面の操作パネル４に取付けられているので、監視員は必要に応じて、各警報ＡＲＨ  ，ＡＲＬ  が出力される許容範囲の例えば４桁の上限値ＰＤＨ  及び下限値ＰＤＬ  を簡単に中央監視室の監視員が設定及び変更が可能である。
【０００９】
【発明が解決しようとする課題】
しかしながら、図１１及び図１２に示すデジタルパネルメータにおいても、まだ改良すべき次のような課題があった。
すなわち、前述したように、各デジタルパネルメータは中央監視室のコンソールパネルに組込まれており、操作パネル４のみがコンソールパネル前面に露出している。したがって、この操作パネル４の実績面積を極力少なくする必要がある。
【００１０】
一方、監視員がそのデジタルの入力データ値を見易くするために表示器５の面積を大きくする必要があるが、４桁以上の上限値ＰＤＨ  及び下限値ＰＤＬ  を設定するために通常の監視業務では操作しない大きな面積を占めるデジタルスイッチ７，８を組込まざるを得ないので、表示器５自体の面積を大きく設定できない問題がある。
【００１１】
また、外部の測定装置から入力回路１へ入力された入力信号のうちスケール変換回路２で予め設定された測定範囲内の入力信号成分が新たな入力データとして次のＡ／Ｄ変換回路３へ入力される。すなわち、各デジタルパネルメータにおいては、測定装置から出力される信号の種別に応じて、該当信号が取り得る信号レベルの電圧範囲を測定範囲に指定して、この測定範囲に含まれる信号を抽出して増幅やＡ／Ｄ変換することによって、監視対象機器の異常ではなくて、測定装置自体の故障に起因する信号がこのデジタルパネルメータに入力されることを未然に防止するようにしている。
【００１２】
しかし、図１１に示すデジタルパネルメータにおいては、スケール変換回路２に設定された測定範囲は半固定値であり、一旦このデジタルパネルメータがコンソールパネルに組込まれた後には、監視員が簡単にこの測定範囲を変更することができなかった。また、既に設定されている測定範囲を確認する術がなかった。
【００１３】
本発明はこのような事情に鑑みてなされたものであり、二つの押しボタンを設けることによって、前面の操作パネルの面積を少なくでき、かつ測定範囲や許容範囲の設定を簡単にでき、設定した測定範囲や許容範囲の値を簡単に確認でき、さらに許容範囲を外れた時の警報を目視できるデジタルパネルメータを提供することを目的とする。
【００１４】
【課題を解決するための手段】
上記課題を解消するために本発明は、アナログの入力データをデジタル値に変換して操作パネルに取付けられた表示器に表示するデータ表示出力手段と、入力データが許容範囲を外れたとき警報を出力する警報出力手段とを有するデジタルパネルメータにおいて、操作パネルにおける表示器の近傍に取付けられた第１の押しボタン及び第２の押しボタンと、入力データの測定範囲の上限値と下限値、及び前記入力データの許容範囲の上限値と下限値を記憶する領域が形成された設定値テーブルと、第１の押しボタンのダブルクリック操作に応じて、各上限値及び各下限値の設定値テーブルに対する設定動作中であるか否かが切換え設定される設定中フラグと、この設定中フラグが設定動作中であると設定された状態における第１の押しボタンにおける押しボタン操作に応じて、設定値テーブルの各領域に記憶する各上限値及び各下限値の各項目を順次指定する項目指定手段と、この項目指定手段で一つの項目が指定された状態における第２の押しボタンにおける押しボタン操作に基づいて該当項目の上限値又は下限値を特定し、この特定された上限値又は下限値を設定値テーブルの該当項目の領域に設定する値設定手段と、設定中フラグが設定動作中でないと設定された状態における第１の押しボタンにおける押しボタン操作に応じて、設定値テーブルの各領域に記憶された各下限値及び各上限値を表示器に順次表示出力する設定値表示手段とを備えている。
【００１５】
また、別の発明は、上述した発明のデジタルパネルメータにおける警報出力手段は、入力データが許容範囲の上限値を越えたとき及び許容範囲の下限値を下回ったとき入力データを表示器上でフリッカ表示している。さらに、設定値表示手段は、各下限値及び各上限値を表示器上でフリッカ表示している。
【００１６】
このように構成されたデジタルパネルメータにおいては、設定値テーブルには入力データの測定範囲の上限値と下限値、及び入力データの許容範囲の上限値と下限値が記憶されている。そして、この設定値テーブルの記憶内容はデジタルパネルメータの前面の操作パネルに設けられた第１，第２の押しボタンの組合わせ押しボタン操作で設定及び変更が可能である。さらに、第１の押しボタン操作でこの設定値テーブルに記憶された測定範囲，許容範囲の各上限値及び各下限値を表示器に表示出力させることが可能である。
さらに、押しボタンにおけるダブルクリック操作で設定値テーブルに対する各値の設定業務を開始させかつ終了させている。したがって、各限界値の設定操作が簡素化できる。
【００１７】
押しボタンの占める面積は小さいので、操作パネルの面積を小さくできる。さらに、測定範囲の設定が容易になると共に、測定範囲及び許容範囲の設定値を簡単に確認できる。
【００１８】
別の発明においては、入力データが許容限界を外れた場合は、入力データの表示状態が通常の連続表示からフリッカ表示に変化するので、監視員は容易に確認できる。また、各設定値の確認中においても、設定値はフリッカ表示されるので、入力データと見間違うことはない。
【００２０】
【発明の実施の形態】
以下本発明の実施形態を図面を用いて説明する。
図１は本発明の一実施形態に係わるデジタルパネルメータの概略構成を示すブロック図であり、図２はこのデジタルパネルメータにおける前面の操作パネルを示す図である。
【００２１】
図１において、監視対象機器の計測装置から入力された例えば４〜２０ｍＡの直流アナログの入力信号は入力回路１１へ入力された後、スケール変換回路１２でスケーリング変換され、新たな入力データＤとしてＡ／Ｄ変換回路１３でデジタル値に変換される。Ａ／Ｄ変換回路１３から出力されたデジタルの入力データＤは表示制御回路１４及び比較判定回路１５へ入力される。
【００２２】
表示制御回路１４は、限界値設定部２２から表示指令が入力されない通常状態においては、Ａ／Ｄ変換回路１３から入力された入力データＤを図２に示すデジタルパネルメータの前面の操作パネル１７に組込まれた例えばＬＥＤ等からなる４桁の表示器１８に表示出力する。
【００２３】
表示パネル１７には４桁の英数字を表示する表示器１８の他に二つの押しボタン１９（Ａボタン），２０（Ｂボタン）が取付けられている。監視員がこの各押しボタン１９，２０を押すと、押しボタン操作信号が押しボタン入力回路２１を介して限界値設定部２２へ入力される。この各押しボタン１９，２０は、パーソナルコンピュータにおけるマウス操作と同様に、１回づつ押す通常のクリック操作と短時間に２回押すダブルクリック操作とを実施できる。
【００２４】
限界値設定部２２は一種のコンピュータで構成されており、内部の記憶部２３内には、図３に示すように、設定値テーブル２４、設定中フラグ２５、確認項目カウンタ２６、設定項目桁位置カウンタ２７等が形成されている。
【００２５】
設定値テーブル２４内には、１〜４の設定項目番号毎に、測定範囲の測定上限値ＡＤＨ  、測定範囲の測定下限値ＡＤＬ  、許容範囲の上限値である警報上限値ＰＤＨ  、許容範囲の下限値である警報下限値ＰＤＬ  が記憶されている。
【００２６】
なお、各限界値ＡＤＨ  ，ＡＤＬ  ，ＰＤＨ  ，ＰＤＬ  は４桁で構成されている。
限界値設定部２２は、設定値テーブル２４内に設定された測定範囲の測定上限値ＡＤＨ  、測定下限値ＡＤＬ  をスケール変換回路１２へ送出する。スケール変換回路１２は、入力回路１１から入力された入力データＤがこの測定上限値ＡＤＨ  と測定下限値ＡＤＬ  とで示される測定範囲を外れた場合は、測定装置自体の故障と判断して、この入力データＤを遮断してＡ／Ｄ変換回路１３へ送出しない。
【００２７】
また、限界値設定部２２は、設定値テーブル２４内に設定された許容範囲の警報上限値ＰＤＨ  と警報下限値ＰＤＬ  とを比較判定回路１５へ送出する。比較判定回路１５は、Ａ／Ｄ変換器１３から入力された入力データＤと許容範囲の警報上限値ＰＤＨ  と警報下限値ＰＤＬ  とを比較して、入力データＤが許容範囲を外れると、警報出力回路２８へ警報出力信号ｈを送出する。
【００２８】
警報出力回路２８は、警報出力信号ｈに基づいて、入力データＤが上限値ＰＤＨ  を越えると上限警報ＡＲＨ  を出力し、入力データＤが上限値ＰＤＨ  を下回ると下限警報ＡＲＬ  を出力する。さらに、警報出力回路２８は比較判定回路１５から警報出力信号ｈを受信すると、表示制御回路１４へフリッカ表示信号ｇを送出する。
【００２９】
表示制御回路１４はフリッカ表示信号ｇが入力されると、表示器１８に表示している４桁の入力データの表示形態を一定周期で点滅するフリッカ表示に変更する。
【００３０】
次に、限界値設定部２２の各限界値ＡＤＨ  ，ＡＤＬ  ，ＰＤＨ  ，ＰＤＬ  の各押しボタン１９，２０を用いた設定動作を説明する。
記憶部２３内に設けられた設定中フラグ２５は、設定値テーブル２４に対する各限界値ＡＤＨ  ，ＡＤＬ  ，ＰＤＨ  ，ＰＤＬ  の設定業務中か否かを示すフラグである。また、確認項目カウンタ２６は、設定値テーブル２４に設定されている各限界値ＡＤＨ  ，ＡＤＬ  ，ＰＤＨ  ，ＰＤＬ  のうちどの限界値を表示器１８に表示するかを示すカウンタである。
【００３１】
すなわち、図６に示すように、［１］〜［４］の各カウント値ＣＮＡ  は、それぞれ各限界値ＡＤＨ  ，ＡＤＬ  ，ＰＤＨ  ，ＰＤＬ  の番号に対応する。なお、［０］のカウント値ＣＮＡ  （ＣＮＡ  ＝０）は各限界値でなくて測定データＤを表示することを示す。
【００３２】
設定項目桁位置カウンタ２７は、それぞれ４桁からなる各限界値ＡＤＨ  ，ＡＤＬ  ，ＰＤＨ  ，ＰＤＬ  の合計１６桁（４×４＝１６）のうちの現在どの桁位置の値ｄの設定業務を実行中であるかを示すカウンタである。例えば図７に示すように、カウント値ＣＮｂ  が［０］の場合は測定上限値ＡＤＨ  の１桁目を示し、カウント値ＣＮｂ  が［１］の場合は測定上限値ＡＤＨ  の２桁目を示し、カウント値ＣＮｂ  が［２］の場合は測定上限値ＡＤＨ  の３桁目を示し、カウント値ＣＮｂ  が［３］の場合は測定上限値ＡＤＨ  の４桁目を示す。
【００３３】
同様に、［４］〜［７］のカウント値ＣＮｂ  はそれぞれ測定下限値ＡＤＬ  の１〜４桁目を示し、［８］〜［１１］のカウント値ＣＮｂ  はそれぞれ警報上限値ＰＤＨ  の１〜４桁目を示し、［１２］〜［１５］のカウント値ＣＮｂ  はそれぞれ警報下限値ＰＤＬ  の１〜４桁目を示す。
【００３４】
そして、限界値設定部２２は各押しボタン１９，２０における押しボタン操作に応じて、図４及び図５の流れ図に従って設定値テーブル２４に対する各限界値ＡＤＨ  ，ＡＤＬ  ，ＰＤＨ  ，ＰＤＬ  の設定処理を実施する。
【００３５】
図４の流れ図のＳ（ステップ）１において、いずれか一方の押しボタン１９，２０が押されると、その押しボタン操作がＡボタン（押しボタン１９）における通常の押しボタン操作であれば（Ｓ２）、設定中フラグ２５の状態を調べる。この設定中フラグ２５が［０］に解除されたままであれぱ（Ｓ３）、既に設定値テーブル２４に設定済みの各限界値を確認する業務中であると判断する。
【００３６】
そして、Ｓ４へ進み、確認項目カウンタ２６のカウント値ＣＮＡ  を更新する（ＣＮＡ  ＝ＣＮＡ  ＋１）。更新後のカウント値ＣＮＡ  が限界値の設定数４を越えていないことを確認すると（Ｓ５）、設定値テーブル２４におけるカウント値ＣＮＡ  が指定する番号の一つの限界値ＡＤＨ  ，ＡＤＬ  ，ＰＤＨ  ，ＰＤＬ  を表示制御回路１４を介して表示器１８にスローフリッカ状態で表示する（Ｓ６）。
【００３７】
なお、Ｓ５にて、更新後のカウント値ＣＮＡ  が限界値の設定数４を越えると、カウント値ＣＮＡ  を０に初期設定し（ＣＮＡ  ＝１）、表示制御回路１４に対する限界値の送出を中止する。その結果、入力データＤがそのまま表示器１８に連続表示出力される（Ｓ８）。
【００３８】
また、Ｓ３にて、設定中フラグ２５が［１］に設定されていれば、設定値テーブル２４に対する各限界値ＡＤＨ  ，ＡＤＬ  ，ＰＤＨ  ，ＰＤＬ  の設定業務中であると判断する。
【００３９】
この場合、Ｓ９へ進み、設定項目桁位置カウンタ２７のカウント値ＣＮＢ  を更新する（ＣＮＢ  ＝ＣＮＢ  ＋１）。更新後のカウント値ＣＮＢ  が全設定限界値の全部の桁数１５を越えると、Ｓ１１にて、カウント値ＣＮＢ  を［０］の初期値に戻す（ＣＮＢ  ＝０）。
【００４０】
次に、Ｓ１２において、図７に示すカウント値ＣＮＢ  が指定する一つの限界値ＡＤＨ  ，ＡＤＬ  ，ＰＤＨ  ，ＰＤＬ  の２桁の記号及び指定桁位置と該当桁の値ｄとを表示器１８にスローフリッカ表示する。
【００４１】
なお、図７に示すように、測定上限値ＡＤH は［ＡＨ］の記号で表示され、測定下限値ＡＤL は［ＡＬ］の記号で表示され、警報上限値ＰＤH は［ＰＨ］の記号で表示され、警報下限値ＰＤL は［ＰＬ］の記号で表示される。
【００４２】
ステップＳ２において、Ａボタン（押しボタン１９）における通常の押しボタン操作でなくて、図５のＳ１３にて、Ｂボタン（押しボタン２０）における通常の押しボタン操作であれば、設定中フラグ２５が［１］に設定されていることを確認する（Ｓ１４）。
【００４３】
そして、Ｓ１４にて現在表示器１８に表示中の指定桁位置の値ｄに１を加算する（ｄ＝ｄ＋１）。加算後の値ｄが９を越えると（Ｓ１６）、この値ｄを初期値［０］に初期設定する（Ｓ１７）。この更新後の値ｄを設定値テーブル２４の指定された限界値の指定桁位置に値ｄとして書込む（Ｓ１８）。
【００４４】
また、Ｓ１３にて、Ｂボタン（押しボタン２０）における通常の押しボタン操作でなく、Ｓ１９にて、Ａボタン（押しボタン１９）におけるダブルクリック操作の場合、Ｓ２０へ進み、設定中フラグ２５の状態を調べる。
【００４５】
設定中フラグ２５が［１］の場合は、各限界値ＡＤＨ  ，ＡＤＬ  ，ＰＤＨ  ，ＰＤＬ  の設定業務を終了すると判断する。そして、設定中フラグ２５を［０］に解除して（Ｓ２１）、確認項目カウンタ２６のカウント値ＣＮＡ  を［０］の初期値に設定する（Ｓ２２）。その結果、前述したように、入力データＤがそのまま表示器１８に連続表示出力される（Ｓ２３）。
【００４６】
設定中フラグ２５が［０］の場合は、新たに各限界値ＡＤＨ  ，ＡＤＬ  ，ＰＤＨ  ，ＰＤＬ  の設定業務を開始すると判断する。そして、設定中フラグ２５を［１］に設定して（Ｓ２４）、設定項目桁位置カウンタ２７のカウント値ＣＮＢ  を［１］の初期値に設定する（Ｓ２５）。その後、Ｓ２６において、図７に示す［１］のカウント値ＣＮＢ  が指定する設定上限値ＡＤＨ  の［ＡＨ］の記号と１桁目の数字［１］と該当桁の値ｄを表示器１８にスローフリッカ表示する（Ｓ２６）。
【００４７】
このように構成されたデジタルパネルメータにおいて、記憶部２３の設定値テーブル２４に測定範囲の上限値ＡＤＨ  ，下限値ＡＤＬ  、及び限界範囲の警報上限値ＰＤＨ  ，警報下限値ＰＤＬ  を設定する場合は、先ず、Ａボタン（押しボタン１９）をタブルクリック操作する。すると、図７に示すように、表示器１８に一つの限界値の記号と一つの桁位置と該当桁の値ｄとがスローフリッカ表示される。
【００４８】
次に、設定したい設定項目の記号及び桁位置が表示されるまで、Ａボタン（押しボタン１９）を繰り返し押していく。設定したい項目の桁の値ｄが表示されると、Ｂボタン（押しボタン２０）をｄが設定したい値になるまで繰り返し押していく。
【００４９】
次の桁の値ｄを設定する場合は、Ａボタン（押しボタン１９）を押して次の桁の値ｄを表示させる。
このように、Ａボタン（押しボタン１９）とＢボタン（押しボタン２０）の組合わせ押しボタン操作によって、設定値テーブル２４に各限界値ＡＤH ，ＡＤL ，ＰＤH ，ＰＤL を設定していく。必要な限界値の設定処理が終了すると、Ａボタン（押しボタン１９）をダブルクリック操作すると、表示器１８には元の入力データＤが連続表示される。
【００５０】
また、設定値テーブル２４に設定されている各限界値ＡＤＨ  ，ＡＤＬ  ，ＰＤＨ  ，ＰＤＬ  を確認する場合は、Ａボタン（押しボタン１９）を通常の動作で繰返し押し下げることによって、４桁の測定範囲の上限値ＡＤＨ  ，下限値ＡＤＬ  、及び４桁の限界範囲の警報上限値ＰＤＨ  ，警報下限値ＰＤＬ  が順番に表示器１８にスローフリッカ表示される。表示を消去する場合は、Ａボタン（押しボタン１９）を繰り返し押してスローフリッカ状態を停止させれは、入力データＤが連続表示される。
【００５１】
このように、二つの押しボタン１９，２０の組合せ押しボタン操作によって、設定値テーブル２４に対して測定範囲の各限界値と許容限界の各限界値とをそれぞれ個別に設定できる。さらに、必要に応じて、設定値テーブル２４に設定された各限界値を表示器１８上で簡単に確認できる。
【００５２】
したがって、制御対象機器の動作状態をより的確に把握できる。
また、入力データが許容範囲を外れると、表示器１８に表示されている入力データＤの表示状態が通常の連続表示からスローフリッカ表示へ変化するので、監視員は、異常発生を視覚的に即座に把握できる。
【００５３】
また、各押しボタン１９，２９の操作パネル１７上における占有面積は、図１２に示す従来のデジタルパネルメータにおける操作パネル１７上におけるデジタルスイッチ７，８の占有面積に比較して格段に小さくできる。その結果、操作パネル１７の必要面積をさらに小さくできる。
【００５４】
なお、本発明は上述した実施形態に限定されるものではない。
実施形態においては、許容範囲の限界値を、警報上限値ＰＤＨ  と警報下限値ＰＤＬ  との２種類としたが、図８及び図９に示すように、警報上限値ＰＤＨ  と警報下限値ＰＤＬ  の他に、警報上限値ＰＤＨ  より高い警報上上限値ＰＤＨＨと、警報下限値ＰＤＬ  より低い警報下下限値ＰＤＬＬとを追加設定することが可能である。この場合の各限界値の設定方法は前述した二つの押しボタン１９，２０の組合せ押しボタン操作に準じる組合せ押しボタン操作で設定可能である。
【００５５】
さらに、設定時における各限界値ＰＤＨＨ，ＰＤＨ  ，ＰＤＬ  ，ＰＤＬＬの記号は図８，図９に示すよように、［ＨＨ］，［Ｈ］，［Ｌ］，［ＬＬ］と定めればよい。
【００５６】
そして、設定された各限界値ＰＤＨＨ，ＰＤＨ  ，ＰＤＬ  ，ＰＤＬＬは比較判定回路１５へ送出される。比較判定回路１５は入力データＤが許容範囲を外れると警報出力信号ｈを警報出力回路２８へ送出する。
【００５７】
警報出力回路２８は、警報上限値ＰＤＨ  と警報下限値ＰＤＬ  のみが設定されている場合は、図１０の欄２９ａに示すように、限界値を外れると入力データＤをスローフリッカ表示する。一方、４つの限界値ＰＤＨＨ，ＰＤＨ  ，ＰＤＬ  ，ＰＤＬＬが設定されていた場合は、図１０の欄２９ｂ，２９ｃに示すように、警報上限値ＰＤＨ  と警報下限値ＰＤＬ  を外れると、入力データＤをスローフリッカ表示すると共に、入力データＤがさらに警報上上限値ＰＤＨＨと警報下下限値ＰＤＬＬを外れると、クイックフリッカ表示する。
【００５８】
このように、許容限界の上限及び下限を互いに表示形態が異なる２段階で警告することによって、監視員に対してより効果的に注意を喚起することが可能である。
【００５９】
【発明の効果】
以上説明したように本発明のデジタルパネルメータにおいては、二つの押しボタンを設け、この二つの押しボタンの組合せ押しボタン操作に基づいて設定値テーブルに対して測定範囲や許容範囲の上下の各限界値を設定し、かつ押しボタン操作で設定値テーブルの設定内容を表示出力している。
【００６０】
したがって、前面の操作パネルの面積を小さくでき、かつ測定範囲や許容範囲の設定を簡単にでき、設定した測定範囲や許容範囲の設定値を簡単に確認でき、さらに許容範囲を外れた時の警報を目視できる。
【図面の簡単な説明】
【図１】本発明の一実施形態に係わるデジタルパネルメータの概略構成を示すブロック図
【図２】同デジタルパネルメータの操作パネルを示す図
【図３】同デジタルパネルメータにおける限界値設定部の記憶部の記憶内容を示す図
【図４】同限界値設定部の各限界値の設定動作を示す流れ図
【図５】同じく同限界値設定部の各限界値の設定動作を示す流れ図
【図６】同デジタルパネルメータの表示器に表示される限界値の表示順序を示す図
【図７】同限界値設定部の各限界値の設定動作時に表示器に表示される限界値の各桁の値の表示順序を示す図
【図８】本発明の他の実施形態に係わるデジタルパネルメータの許容範囲の設定状態を示す図
【図９】同じく他の実施形態に係わるデジタルパネルメータの許容範囲の設定状態を示す図
【図１０】同じく他の実施形態に係わる警報の各表示状態の比較を示す図
【図１１】従来のデジタルパネルメータの概略構成を示すブロック図
【図１２】同従来のデジタルパネルメータの操作パネルを示す図
【符号の説明】
１１…入力回路
１２…スケール変換回路
１３…Ａ／Ｄ返還回路
１４…表示制御回路
１５…比較判定回路
１７…操作パネル
１８…表示器
１９…押しボタン（Ａボタン）
２０…押しボタン（Ｂボタン）
２１…押しボタン入力回路
２２…限界値設定部
２４…設定値テーブル
２８…警報出力回路
【図１】
0003544806.tif 000002
【図２】
0003544806.tif 000003
【図３】
0003544806.tif 000004
【図４】
0003544806.tif 000005
【図５】
0003544806.tif 000006
【図６】
0003544806.tif 000007
【図７】
0003544806.tif 000008
【図８】
0003544806.tif 000009
【図９】
0003544806.tif 000010
【図１０】
0003544806.tif 000011
【図１１】
0003544806.tif 000012
【図１２】
0003544806.tif 000013